Podtech/llm-jp-corpus-v4-ja_patent huggingface dataset:
(57)【要約】      （修正有）【課題】短時間で作製可能で、安価な煤竹茶筅を提供する。【解決手段】竹の節の一方に設けられた持ち手と節の他方に細かく切断した穂からなる茶筅において、うるしに煤材を混入し持ち手部分に塗布する。【選択図】図１
0003181328.tif 000002
【実用新案登録請求の範囲】
【請求項１】
竹の節の一方に設けられた持ち手と、節の他方に細かく切断した穂とからなる茶筅において、うるしに煤材を混入し持ち手又は穂先のいずれか又は両方の部分に塗布したことを特徴とする煤竹茶筅。
【請求項２】
煤材は液体に溶かして精製させたことを特徴とする請求項１記載の煤竹茶筅。
【考案の詳細な説明】
【技術分野】
【０００１】
本考案は、抹茶をかき回して泡を立てる茶筅に関するものである。
【背景技術】
【０００２】
従来、竹をいぶした煤竹を用いて茶筅を製作することが行われていた。
【考案の概要】
【考案が解決しようとする課題】
【０００３】
近年、天然の煤竹の入手が困難になり、また人工的に煤竹を製造することは薬品を使用するために安全性に問題があり、また高価であった。本考案は、安全性が高く安価な煤竹茶筅を提供することを目的とする。
【課題を解決するための手段】
【０００４】
本考案は竹の節の一方に設けられた持ち手と、節の他方に細かく切断した穂からなる茶筅において、うるしに煤材を混入し持ち手部分に塗布し持ち手の部分を持って、穂でお抹茶をかき混ぜるものである。
【考案の効果】
【０００５】
煤材を混入して持ち手部に塗布したので天然の物と比べて短時間で安価に煤竹茶筅を提供する効果がある
【図面の簡単な説明】
【０００６】
【図１】本考案の実施例を示す図
【考案を実施するための形態】
【０００７】
本考案の実施例を図１に示す。本考案の茶筅は、竹の一方を細かく切断した穂１と、穂１の下部を糸２で縛り、節３を介した他方に構成した持ち手４からなるものである。持ち手４の部分は、うるしに煤顔料を混入させて塗布したものである。塗布の手順として、紙ヤスリを持ち手に当て研磨し、精製された煤材にうるしを混入て塗布し、湿度の高い箱に入れ乾燥させる。この行程を３〜7回繰り返す。色のつきの悪い場合は煤材を１％から2％に混入量を増加させ塗布し、湿度の高い箱に入れ乾燥させる。この行程を1〜3回繰り返す。
また、持ち手以外の穂先の部分にも煤材を塗布してもよい。   
【符号の説明】
【０００８】
１    穂先
２    糸
３    節
４    持ち手
【図１】
0003181328.tif 000003
(57)【要約】      （修正有）【課題】空回りを抑制する固定装置を提供する。【解決手段】固定装置２は、ヘッド部２０およびねじ部２１を備える。ねじ部２１は、ヘッド部２０に設けられ、ヘッド部２０とは反対側の端面に固定孔２２が形成されている。固定孔２２は、ねじ部２１のヘッド部２０とは反対側の端面が窪むことにより形成されている。固定孔２２は、断面が矩形になるよう形成されている。固定装置２が空回りしないよう、固定具を固定孔２２の中に差し込んで、固定装置２を固定することができるため、ナットと固定装置２との締付を容易に行うことができる。【選択図】図４
0003181383.tif 000002
【実用新案登録請求の範囲】
【請求項１】
ヘッド部と、
前記ヘッド部に設けられており、前記ヘッドとは反対側の端面に固定孔が形成されているねじ部と、を備えることを特徴とする固定装置。
【請求項２】
前記固定孔は、前記ねじ部の前記ヘッドとは反対側の端面が窪んで形成されていることを特徴とする請求項１に記載の固定装置。
【請求項３】
前記固定孔は、横断面が六角形であることを特徴とする請求項１に記載の固定装置。
【請求項４】
前記固定孔は、横断面がプラス符号の形状であることを特徴とする請求項１に記載の固定装置。
【請求項５】
前記固定孔は、横断面がマイナス符号の形状であることを特徴とする請求項１に記載の固定装置。
【考案の詳細な説明】
【技術分野】
【０００１】
本考案は、固定装置に関する。
【背景技術】
【０００２】
図１、図２、図３が示すように、従来の電熱体１の固定装置として用いられるボルト１１は、電熱体１の導電孔１０の中に差し込まれ、メタルワッシャ１２およびナット１３にねじ込まれることで、電熱体１を固定する。
【考案の概要】
【考案が解決しようとする課題】
【０００３】
電熱体１は、下メタル蓋板１４、二絶縁板１５、電熱板１６、および、上メタル１７から構成される。電熱板１６には、電熱線１６０がまかれている。平板状の電熱体１は、図２に示すように、円筒形に折り曲げられてから電熱線１６０にボルト１１のヘッドを接触させる。ボルト１１は、絶縁板１５のねじ孔１５０および上メタル蓋板１７の孔１７０を貫通する一端に、メタルワッシャ１２が嵌め込まれ、ナット１３がねじ込まれる。
【０００４】
しかしながら、ナット１３とボルト１１とを締め付ける時、ボルト１１が空回りし易いため、ナット１３とボルト１１とを締め付けにくくなる。ここで、ピンセットを使用してボルト１１を固定し、空回りを抑制する方法がある。ところが、ピンセットに挟まれた箇所のねじ山が破損する恐れがある。また、ボルト１１を取り替えるときに、ナット１３をボルト１１からはずすのが難しくなる。
【０００５】
本考案は、上述の問題に鑑みてなされたものであり、その目的は、空回りを抑制する固定装置を提供することにある。
【課題を解決するための手段】
【０００６】
本考案に係る固定装置は、ヘッド部およびねじ部を備える。ネジ部は、ヘッド部に設けられ、ヘッドとは反対側の端面に固定孔が形成されている。
【０００７】
これにより、ねじ部の下末端面に形成された固定孔に固定具を差し込むことで、ナットをねじ部にねじ込む時に、固定装置の空回りを抑制することができ、ナットをネジ部に締め付けることを容易に行うことができる。
【図面の簡単な説明】
【０００８】
【図１】従来の電熱体の分解斜視図である。
【図２】従来の電熱体の斜視図である。
【図３】従来の固定装置を電熱体に適用した状態を示す断面図である。
【図４】本案の第一実施形態による固定装置を示す斜視図である。
【図５】本案の第一実施形態による固定装置を電熱体に適用した状態を示す断面図である。
【図６】本案の第一実施形態による固定装置を電熱体に適用した状態を示す断面図である。
【図７】本案の第二実施形態による固定装置を示す斜視図である。
【図８】本案の第三実施形態による固定装置を示す斜視図である。
【図９】本案の第四実施形態による固定装置を示す斜視図である。
【考案を実施するための形態】
【０００９】
本考案の実施形態を図面に基づいて説明する。
（第一実施形態）
本考案の第一実施形態による固定装置を図４〜６に示す。本実施形態の固定装置２は電熱体１の固定装置として適用される。固定装置２は、ヘッド部２０およびねじ部２１を備える。ねじ部２１は、ヘッド部２０に設けられ、ヘッド部２０とは反対側の端面に固定孔２２が形成されている。固定孔２２は、ねじ部２１のヘッド部２０とは反対側の端面が窪むことにより形成されている。本実施形態では、固定孔２２は、断面が矩形になるよう形成されている。
【００１０】
本実施形態の固定装置２を用いて電熱体１を固定する時、まず、固定装置２を電熱体１の導電孔１０の中に差し込む。そして、電熱体１の外部に突出しているねじ部２１に、メタルワッシャ１２をはめ込む。続いて、ナット１３を固定装置２のねじ部２１にねじ込む。この時、固定装置２が空回りしないよう、固定具Ｎを固定孔２２の中に差し込んで、固定装置２を固定する。固定装置２が空回りしないようにすることで、ナット１３と固定装置２との締付を容易に行うことができる。
【００１１】
本実施形態の固定装置２の効果を以下の通り説明する。
本実施形態の固定装置２は、メタルワッシャ１２の作用により、電熱線１６０との接触がより緊密となり、電熱体１の断電を抑制することができる。
本実施形態の固定装置２は、固定孔２２に固定体Ｎが差し込まれることで空回りが抑制される。よって、ナット１３と固定装置２との締付を容易に行うことができる。
【００１２】
（第二実施形態）
本考案の第一実施形態による固定装置を図７に示す。
図７に示すように、本実施形態では、固定孔２２は、断面が六角形になるよう形成されている。
【００１３】
（第三実施形態）
本考案の第一実施形態による固定装置を図８に示す。
図８に示すように、本実施形態では、固定孔２２は、断面がプラス符号の形状になるよう形成されている。
【００１４】
（第四実施形態）
本考案の第一実施形態による固定装置を図９に示す。
図９に示すように、本実施形態では、固定孔２２は、断面がマイナス符号の形状になるよう形成されている。
【符号の説明】
【００１５】
１・・・電熱体、
１０・・・導電孔、
１２・・・メタルワッシャ、
１３・・・ナット、
１４・・・下メタル蓋板、
１５・・・絶縁板、
１５０・・・孔、
１６・・・電熱版、
１６０・・・電熱線、
１７・・・上メタル蓋板、
２・・・固定装置、
２０・・・ヘッド部、
２１・・・ねじ部、
２２・・・固定孔、
Ｎ・・・固定具。
【図１】
0003181383.tif 000003
【図２】
0003181383.tif 000004
【図３】
0003181383.tif 000005
【図４】
0003181383.tif 000006
【図５】
0003181383.tif 000007
【図６】
0003181383.tif 000008
【図７】
0003181383.tif 000009
【図８】
0003181383.tif 000010
【図９】
0003181383.tif 000011
(57)【要約】【課題】強度および耐磨耗性が優れたワイヤ部材を提供する。【解決手段】ワイヤ部材は金属表面を有する。ワイヤ部材は変移作動線または金属導線である。ワイヤ部材は、ワイヤ１、および、シンフロン層２を備える。シンフロン層２は、ワイヤ１の表面を覆っている。シンフロン層２により、ワイヤ１の強度を高めることができ、ワイヤ１の摩擦性を低減することができる。また、ワイヤ１が管体３内に挿入されるとき、管体３の内壁とワイヤ１とは、低摩擦性および耐蝕性が優れたシンフロン層２を介して摺動する。管体３の内壁とワイヤ１とが直接に接触磨耗することを抑制することができる。【選択図】  図１
0003181366.tif 000002
【実用新案登録請求の範囲】
【請求項１】
金属表面を有するワイヤ部材であって、
ワイヤと、
当該ワイヤの表面に覆われているシンフロン層と、を備えることを特徴とするワイヤ部材。
【請求項２】
前記ワイヤは、複数の金属線をよじることにより形成されており、ブレーキワイヤのインナーワイヤであることを特徴とする請求項１に記載のワイヤ部材。
【考案の詳細な説明】
【技術分野】
【０００１】
本考案は、ワイヤ部材に関し、詳しくは、金属表面を有するワイヤ部材に関する。
【背景技術】
【０００２】
従来のワイヤ部材は、図５に示すように、ワイヤ９０を備え、被覆線の芯線として使用される。ワイヤ９０は、複数の金属線９００がよじられることにより形成される。管体９１内で、ワイヤ９０が引っ張られることにより移動するとき、ワイヤ９０と管体９１の内壁とは接触する。摺動が順調でない場合、ワイヤ９０の磨耗が生じる。ワイヤ９０の磨耗は、金属線９０の強度を低減する。また、金属線９００が断線する場合、金属線９００が反ることにより管体９１が破損するおそれがある。
【考案の概要】
【考案が解決しようとする課題】
【０００３】
本考案は、上記問題に鑑みてなされたものであり、その目的は、強度および耐磨耗性が優れたワイヤ部材を提供することにある。
【課題を解決するための手段】
【０００４】
本考案にかかるワイヤ部材は、金属表面を有するワイヤ部材であって、表面がシンフロン層に覆われているワイヤを備える。
これにより、ワイヤの強度を高めることができ、ワイヤの摩擦性を低減し耐摩耗性を高めることができる。
また、本考案にかかるワイヤ部材のワイヤは、金属線が捩られることにより形成されており、ブレーキワイヤのインナーワイヤである。
【図面の簡単な説明】
【０００５】
【図１】本考案の一実施形態によるワイヤ部材の一部を示す斜視図である。
【図２】本考案の一実施形態によるワイヤ部材を示す断面図である。
【図３】本考案の一実施形態によるワイヤ部材を示す断面図である。
【図４】本考案の一実施形態によるワイヤ部材を示す要部拡大図である。
【図５】従来のワイヤ部材を示す斜視図である。
【考案を実施するための形態】
【０００６】
本考案の実施形態を図１から図４に基づいて説明する。
（一実施形態）
本考案の一実施形態によるワイヤ部材は金属表面を有する。本実施形態では、ワイヤ部材は、ブレーキワイヤのインナーワイヤであり、ワイヤ１、および、シンフロン層２を備える。ワイヤ１は、複数の金属線をよじることにより形成されている。シンフロン層２は、ワイヤ１の表面を覆っている。シンフロン層２により、ワイヤ１の強度を高めることができ、ワイヤ１の摩擦性を低減することができる。
【０００７】
また、ワイヤ１が管体３内に挿入されるとき、管体３の内壁とワイヤ１とは、低摩擦性および耐蝕性が優れたシンフロン層２を介して摺動する。管体３の内壁とワイヤ１とが直接に接触磨耗することを抑制することができる。よって、ワイヤ部材が完成するまでワイヤ１の強度を維持することができる。また、ワイヤ１が断線することが抑制され、ワイヤ１が管体３内で順調に移動することができる。さらに、シンフロン層２は、ワイヤ１の強度を高めることができ、ワイヤ１の靭性を高めることができる。
【符号の説明】
【０００８】
１・・・ワイヤ、
２・・・シンフロン層、
３・・・管体。
【図１】
0003181366.tif 000003
【図２】
0003181366.tif 000004
【図３】
0003181366.tif 000005
【図４】
0003181366.tif 000006
【図５】
0003181366.tif 000007
(57)【要約】      （修正有）【課題】加工を容易化・軽量化し、スペースを縮少化した自動車用発電機を提供する。【解決手段】パネルとパネルとを張り合わせるようにして、正面になる側面を広い風の入る口にし、風を吸収しやすくして、パネルとパネルとの狭い空間の中を凝縮した風が通過する際に、羽根つき垂直回転軸発電機を回転させ、大きな威力を発揮できる。【選択図】図１
0003181398.tif 000002
【実用新案登録請求の範囲】
【請求項１】
パネルとパネルとを張り合わせるようにして、正面になる側面を広い風の入る口にし、風を吸収しやすくして、パネルとパネルとの狭い空間の中を凝縮した風が通過する際に、空間の中に平行に並べた羽根つき垂直回転軸発電機を回転させ、大きな威力を発揮できるという特徴を利用し、加工の容易化と軽量化・スペースの縮少化による自動車用発電機である。
【考案の詳細な説明】
【技術分野】
【０００１】  本考案は、狭空間を通過する凝縮した風力を利用した発電機にかんする。
【背景技術】
【０００２】  風力発電機としては、プロペラ型・垂直型のものが知られ、広く普及している。
【考案の概要】
【考案が解決しようとする課題】
【０００３】  しかしながら、プロペラ型・垂直型の発電機は広いスペース空間を必要とし、自然の風に委ねるだけの為、求めている程の電力を発電できないという欠点があった。
【課題を解決するための手段】
【０００４】  本考案は、パネルとパネルとを張り合わせるようにして、正面になる側面を広い風の入る口にし、風を吸収しやすくして、パネルとパネルとの狭い空間の中を凝縮した風が通過する際に、羽根つき垂直回転軸発電機を回転させ、大きな威力を発揮できるという特徴を利用し、加工の容易化と軽量化、スペースの縮少化によって、上記課題を解決するものである。
【考案の効果】
【０００５】  本考案に関わる自動車用狭空間凝縮発電機は、金属パネルを張り合わせて、広い風口から凝縮した風を通過できるようにし、パネルとパネルとの間に並べた垂直回転軸発電機を回転させる事により発電できる仕組みであり、実用性に優れたものである。
【図面の簡単な説明】
【０００６】
【図１】本考案に関わる自動車用狭空間凝縮発電機の実施形態を示す透視断面図である。
【図２】本考案に関わる自動車用狭空間凝縮発電機の透視断面図である。
【考案を実施するための形態】
【０００７】  図２に示すように、パネルとパネルとの間に狭い空間を設け、広い風口から凝縮した風を吸収し通過できるようにし、空間に並べた垂直回転軸発電機を回転させられるように上部と下部に平行に並べて設ける。
【０００８】  図１に示すように、自動車の屋根・ドアに張り付けられるようにし、走行した際、風を広い風口から狭い空間を通過させ、空間の中に平行に並べた羽根付き垂直回転軸発電機を回転させ、風力により発電する。
【０００９】  広い風口から狭い空間に凝縮させた風を通過させ、空間の中に平行に並べた羽根付き垂直回転軸発電機を回転させる事により、比較的微量の風でも大きな電力を産み出す、物理的な風の特徴を活かした風力発電機である。
【符号の説明】
【００１０】１  パネル板
２  羽根
３  垂直回転軸発電機
４  風口
５  風の動き
【図１】
0003181398.tif 000003
【図２】
0003181398.tif 000004
(57)【要約】      （修正有）【課題】腕時計に極めて簡単且つ手軽にワンポイントの装飾（デコレーション）を施すことのできる時計バンドを提供する。【解決手段】時計バンドを構成する剣先バンドの余り部分を親バンド側で固定するために設けられる輪状の定革１０又は遊革２０に、装飾用の飾り部材７０を備えたことを特徴とする。【選択図】図２
0003181392.tif 000002
【実用新案登録請求の範囲】
【請求項１】
時計バンドを構成する剣先バンドの余り部分を親バンド側で固定するために設けられる輪状の定革又は遊革に、装飾用の飾り部材を備えたことを特徴とする定革又は遊革。
【請求項２】
飾り部材が定革又は遊革に対して一体不可分に固定されていることを特徴とする請求項１記載の定革又は遊革。
【請求項３】
飾り部材が定革又は遊革に対して着脱自在に取り付けられていることを特徴とする請求項１記載の定革又は遊革。
【請求項４】
飾り部材が皮革製であることを特徴とする請求項１，２又は３記載の定革又は遊革。
【請求項５】
請求項１，２，３又は４記載の定革又は遊革を設けたことを特徴とする時計バンド。
【考案の詳細な説明】
【技術分野】
【０００１】
本願考案は、時計バンドを構成する剣先バンドの余り部分を親バンド側で固定するために設けられる輪状の定革又は遊革に関するものである。
【背景技術】
【０００２】
特に若い女性の間で自分の身近な物（例えば、携帯電話やスマートフォンなど）に装飾（デコレーション）を施すことが流行っている。
腕時計は、携帯電話やスマートフォンと同じように身近な物であるが、これまであまり装飾を施されることがなかった。
【０００３】
その中で、腕時計に装飾を施したものとして特許文献１に記載の腕時計用アクセサリーがある。これは、図３に示すように、手指で折り曲げ可能な硬度を有し、腕時計のベルト部材２１に巻きつけて掛止しうる取り付け部材１１と、上記取り付け部材１１に着脱可能に装着しうる装飾部材１２とを備えた構成とするものである（符号は図３のものに限る）。
【先行技術文献】
【特許文献】
【０００４】
【特許文献１】実用新案登録第３１５９８０９号公報
【考案の概要】
【考案が解決しようとする課題】
【０００５】
しかしながら、上記する従来技術には、以下のような課題があった（符号は図３のものに限る）。
（１）取り付け部材１１をベルト部材２１に巻きつけて掛止させるために、ベルト部材２１を傷めてしまうおそれがある。
（２）取り付け部材１１をベルト部材２１に巻きつけるために、遊革２６に通したベルト部分（剣先ベルト）と干渉し、ベルトを締めるに際して邪魔になってしまう場合もある。
（３）取り付け部材１１をベルト部材２１に巻きつけるために、ごちゃごちゃした印象を与えて外観上スッキリとしたものにならない。
【０００６】
これに対して、本願考案者は、上記した課題を持たずに従来にない新規な時計バンドの提供を目的として、本願考案を完成するに至った。
【課題を解決するための手段】
【０００７】
本願考案の内容は、以下の通りである。
第１の考案は、時計バンドを構成する剣先バンドの余り部分を親バンド側で固定するために設けられる輪状の定革又は遊革に、装飾用の飾り部材を備えたことを特徴とする定革又は遊革である。
第２の考案は、飾り部材が定革又は遊革に対して一体不可分に固定されていることを特徴とする同定革又は遊革である。
第３の考案は、飾り部材が定革又は遊革に対して着脱自在に取り付けられていることを特徴とする同定革又は遊革である。
第４の考案は、飾り部材が皮革製であることを特徴とする同定革又は遊革である。
第５の考案は、上記する第１乃至第４の定革又は遊革を設けたことを特徴とする時計バンドである。
【考案の効果】
【０００８】
本願考案によれば、以下のような効果を有する。
（１）定革又は遊革に装飾用の飾り部材を備えるので、時計バンドを傷めることがない。
（２）定革又は遊革に装飾用の飾り部材を備えるので、定革や遊革に通した剣先バンドと干渉することなく、バンドを締めるに際して邪魔になることはない。
（３）定革又は遊革に装飾用の飾り部材を備えるので、ごちゃごちゃした印象を与えずに外観上スッキリとしたものになり、上品な印象を与える。
【図面の簡単な説明】
【０００９】
【図１】本願考案に係る定革・遊革の説明図（１）。
【図２】本願考案に係る定革・遊革の説明図（２）。
【図３】従来技術（特許文献１）を説明する説明図。
【考案を実施するための形態】
【００１０】
本願考案の実施形態を図面に基づいて説明する。
図１は、本願考案に係る定革・遊革の説明図（１）である。
定革１０又は遊革２０は、腕時計本体３０の１２時側に付く親バンド４０に設けられる輪状のものであって、腕時計本体３０の６時側に付く剣先バンド５０の美錠６０にて結合した余り部分を通して固定するものである。定革１０は親バンド４０に固定されており、遊革２０は親バンド４０に非固定でフリーになっている。なお、図示では定革１０と遊革２０をともに備えているが、どちらか一方しか備えないものもある。
【００１１】
図２は、本願考案に係る定革・遊革の説明図（２）である。
図２に示すように、本願考案に係る定革１０又は遊革２０は、装飾用の飾り部材７０を備えたことを特徴とする。図示した飾り部材７０は「四葉のクローバー」であるが、これに限定されるものではない。
【００１２】
そして、定革１０又は遊革２０に飾り部材７０を備えることで、時計バンドをおしゃれにあるいは上品に装飾（デコレーション）できるだけでなく、時計バンド（特に親バンド４０）を傷めることがなく、定革１０や遊革２０に通した剣先バンド５０と干渉することなく、バンドを締めるに際して邪魔になることはない。
【００１３】
また、飾り部材７０は、定革１０又は遊革２０に対して一体不可分に固定（接着や縫製など）されてもよいし、面ファスナーやホック等の公知の手段により着脱自在に取り付けられてもよい。なお、飾り部材７０の材質は特に限定されるものではなく、定革１０又は遊革２０と同じ皮革製や樹脂製であってもよいし、異なる材質であってもよい。
【産業上の利用可能性】
【００１４】
本願考案は、皮革製バンドや樹脂製バンドのように、定革や遊革を備えた時計バンドのワンポイントの装飾（デコレーション）に極めて簡単且つ手軽に利用できるものである。
【符号の説明】
【００１５】
１０  定革
２０  遊革
３０  腕時計本体
４０  親バンド
５０  剣先バンド
６０  美錠
７０  飾り部材
【図１】
0003181392.tif 000003
【図２】
0003181392.tif 000004
【図３】
0003181392.tif 000005
(57)【要約】      （修正有）【課題】梱包材料等を再利用した折紙式構造により、簡単で強固なコップスタンドを提供する。【解決手段】厚紙を折り曲げて形成した、一面に開口面を備えた箱状部材において、前記一面と対向する面に所定の円が設けられており、当該円の中心から円方向へ放射状に複数の切り込みを備え、当該円にコップを差し込み固定することができるようにして折紙式コップスタンドを形成する。【選択図】図１
0003181394.tif 000002
【実用新案登録請求の範囲】
【請求項１】
上面表側にミシン目を入れて放射状の切込溝を設ける。又、本体両端に９０度の壁面をＸ形に組み込み、外側（Ｃ）からＡ−Ａ’、Ｂ−Ｂ’を包み込み固定する。
【請求項２】
当案による折り込み方法の構造
【請求項３】
限りある資源を有効に使う為、廃棄処分となる材料がゼロに近い。
【考案の詳細な説明】
【考案の詳細な説明】
【技術分野】
【００１】  この考案は、材料（厚紙等）を折紙式構造により簡単で強固なコップスタンドを造るものである。
【背景技術】
【００２】  従来梱包材料として使われていたものが目的を終えた後は再利用されることなく廃棄されていた。
【考案が解決しようとする課題】
【００３】  本来はその状況を見て、限りある資源の再利用及び再宣伝活用等を解決しようとするものである。又、組み上げる時の期待、喜び、達成感を得るものである。
【課題を解決するための手段】
【００４】  （イ）限りある資源を有効に使用するため、図面（別紙）にて説明をする。
（ロ）両端面の部分（Ａ−Ａ’）を中心にて切込みＸ型に組み立てる。
（ハ）図面中Ｂの部分を外側にし、Ａ−Ａ’を内側に包み込みＥの溝にＣの爪部を差込固定する。
（ニ）反対側端面の（イ）から（ニ）に溝部を倣い組み上げる。
（ホ）裏返し上面に放射状溝部を作り、爪を内側に折り曲げ、コップ底部を固定させる。
【考案を実施するための形態】
【００５】  本案は以上のような構造であるから、これを使用するときは気軽に組み上げ、手間取らない。
【考案の効果】
【００６】  素材の再利用、組み付けの簡便さ、組立用具が不要（指先のみ組み付け可）。廃棄処分の簡単さ、野外活動等で燃料として処分等。
【図１】
0003181394.tif 000003
【図２】
0003181394.tif 000004
【手続補正書】
【提出日】平成23年9月15日(2011.9.15)
【手続補正１】
【補正対象書類名】実用新案登録請求の範囲
【補正の内容】
公序良俗違反のため、不掲載とする。
【手続補正２】
【補正対象書類名】明細書
【補正の内容】
公序良俗違反のため、不掲載とする。
【手続補正書】
【提出日】平成24年1月7日(2012.1.7)
【手続補正１】
【補正対象書類名】実用新案登録請求の範囲
【補正対象項目名】全文
【補正方法】変更
【補正の内容】
【実用新案登録請求の範囲】
【請求項１】
切屑の出ない折紙式方法と放射状の凹穴式コップ受け部の組合せ
【手続補正３】
【補正対象書類名】明細書
【補正対象項目名】００１
【補正方法】変更
【補正の内容】
【００１】切屑の出ない折紙式組立て方法と放射状切り込み形状によるコップ受け部の安定度の高い構造の組合せのコップスタンド
【手続補正４】
【補正対象書類名】明細書
【補正対象項目名】００７
【補正方法】変更
【補正の内容】
【００７】本体より記号通りに組み立てていく【図１】平面図（組み込みまえの状態）
【図２】平面図に記入の通り折り曲げてゆく
【手続補正５】
【補正対象書類名】図面
【補正対象項目名】全図
【補正方法】変更
【補正の内容】
【図１】
0003181394.tif 000005
【手続補正書】
【提出日】平成24年5月6日(2012.5.6)
【手続補正１】
【補正対象書類名】実用新案登録請求の範囲
【補正対象項目名】全文
【補正方法】変更
【補正の内容】
【実用新案登録請求の範囲】
【請求項１】
・酒及び飲料水などのダンボール紙で出来た空き箱にミシン目を入れ、実線・点線を図１の通りに加工する。
【手続補正３】
【補正対象書類名】図面
【補正対象項目名】全図
【補正方法】変更
【補正の内容】
【図１】
0003181394.tif 000006
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
厚紙を折り曲げて形成した、一面に開口面を備えた箱状部材において、前記一面と対向する面に所定の円が設けられており、当該円の中心から円方向へ放射状に複数の切り込みを備え、当該円にコップを差し込み固定することができる折紙式コップスタンド。
【手続補正２】
【補正対象書類名】明細書
【補正対象項目名】全文
【補正方法】変更
【補正の内容】
【考案の詳細な説明】
【技術分野】
【００１】  この考案は、材料（厚紙等）を折紙式構造により簡単で強固なコップスタンドを造るものである。
【背景技術】
【００２】  従来梱包材料として使われていたものが目的を終えた後は再利用されることなく廃棄されていた。
【考案が解決しようとする課題】
【００３】  本来はその状況を見て、限りある資源の再利用及び再宣伝活用等を解決しようとするものである。又、組み上げる時の期待、喜び、達成感を得るものである。
【課題を解決するための手段】
【００４】（イ）限りある資源を有効に使用するため、図面（別紙）にて説明をする。（ロ）両端面の部分（Ａ−Ａ’）を中心にて切込みＸ型に組み立てる。（ハ）図面中Ｂの部分を外側にし、（Ａ−Ａ’）を内側に包み込みＥの溝にＣの爪部を差込固定する。（ニ）反対側端面の（イ）から（ニ）に溝部を倣い組み上げる。（ホ）裏返し上面に放射状溝部を作り、爪を内側に折り曲げ、コップ底部を固定させる。
【考案を実施するための形態】
【００５】  本案は以上のような構造であるから、これを使用するときは気軽に組み上げ、手間取らない。
【考案の効果】
【００６】  素材の再利用、組み付けの簡便さ、組立用具が不要（指先のみ組み付け可）。廃棄処分の簡単さ、野外活動等で燃料として処分等。
【図面の簡単な説明】
【００７】
【図１】平面図。
(57)【要約】      （修正有）【課題】ほぼ１年中使用でき、首周囲も保護し、仕上がりを薄くして収納も楽な掛寝具を提供する。【解決手段】アクリル毛布表地の裏とそれより大きめのタオルケットの裏側を合わせて、タオルケットを下にして一方を２０ｃｍ位長くして他の三方は少し長めにし、上にアクリル毛布表地を重ねて置く。タオルケットの端をアクリル毛布表地の上に乗せて包むように折り返す。アクリル毛布の表地がほつれないように四隅３ｃｍ位のところをタオルケット、アクリル毛布表地、折り返したタオルケットときちんと重ね揃えてほつれないように丁寧に縫製する。タオルケットの長い部分は首周囲や胸元に使用するために縫製しない。寒い時はアクリル毛布表地側を下にして首周囲はタオルケットの長い部分で保護し、暑い時は裏返してタオルケットを下にして掛ける。【選択図】図１
0003181397.tif 000002
【実用新案登録請求の範囲】
【請求項１】
アクリル毛布表地の裏とそれより大きめのタオルケットの裏側を合わせて、タオルケットの一方を２０センチ位長く、他の三方は少し長くしてタオルケットでアクリル毛布表地を包み込むように折り返して、アクリル毛布表地の端がほつれないように３センチ位の所の四隅をタオルケット、アクリル毛布の表地、折り返したタオルケットときちんと揃えて丁寧に縫製し、タオルケットの一方の長い部分は首周囲を保護するために縫製せずにそのままにし、寒い時はアクリル毛布表地側を下にして掛けタオルケットの一方の長い部分を折り返して伸ばし首周囲を温かく保ち、暑い時はタオルケット側を下にして掛ける、温度調節が容易にできる両面使用の掛寝具
【考案の詳細な説明】
【技術分野】
【０００１】  この考案はアクリル毛布表地の裏とそれより少し大きめのタオルケットの裏側を合わせ、タオルケットを下にして置いて、その一方がアクリル毛布より２０センチ位長くなるように置き、他の三方は少し長くなるように置いて、アクリル毛布表地の端がほつれないようにタオルケットでアクリル毛布表地を包みこむように折り返し、タオルケットの一方を長くしたまま四隅を３センチ位のところをきちんと揃えて重ね丁寧に縫製し、首周囲のタオルケットの部分が外側にも開けるようにした、両面使用の掛寝具に関するものである。
【背景技術】
【０００２】  従来毛布の表地と裏地が合わせて縫製してあった。
首周囲も保温する考案はあった。
【先行技術文献】
【０００３】
【特許文献】
【特許文献】  実用新案登録  第３０１３８３４号  実用新案登録  第３１０５９７７号  実用新案登録  第３０７７５５３号
【考案の概要】
【考案が解決しようとする課題】
【０００４】  この掛寝具は次のような欠点があった。
従来、毛布の表地と裏地を２枚合わせていたので、温度調節もできず、かさばった。首周囲もすっきりしていなかった。
【考案が解決しようとするための手段】
【０００５】  ２枚合わせ毛布は暑いしかさばるので、毛布の裏地をタオルケットに変える。アクリル毛布の表地の裏とそれより少し大きめのタオルケットの裏側を合わせ、その時タオルケットの一方を長くし、アクリル毛布表地を上にして、それを包みこむようにタオルケットの端を重ねて、ほつれないように丁寧に四隅を縫製する。首周囲のタオルケットは折り返して長短自由に使用するために端を縫わず移動できるようにする。
【考案の効果】
【０００６】  寒い時はアクリル毛布表地側を下にして肌に当たるように掛ければ温く、暑くなれば裏返してタオルケット側を下にして掛ければ心地よく眠れる。
タオルケットの端を止めていない部分を首周囲に当てると温かい。暑過ぎる時は掛け寝具の足元を折って下げ、タオルケットの端を止めていない部分を胸元に当てればほぼ一年中使用できる。薄くなったので収納もらくである。
【図面の簡単な説明】
【０００７】
【図１】  本考案の平面図  Ａはアクリル毛布表地  Ｂはタオルケット  平面図内の点線は縫い糸を表す  Ｃはアクリル毛布表地側の仕上げ図  Ｄはタオルケット側の仕上げ図  ＥはＣ図のタオルケットの一方の長い部分を外側に伸ばした図  ＦはＤ図のタオルケットの一方の長い部分を外側に伸ばした図
【図２】  本考案の側面図  Ｇは暑い時Ｄを下にして人に掛けた図  Ｈは寒い時Ｅを下にして人に掛けた図
【考案を実施するための形態】
【０００８】以下本考案を実施するための形態を図１、図２に基づいて説明する
Ａの裏とＢの裏側を合わせて、Ｂを下にして一方を２０センチ位長くして他の三方は少し長めにし、上にＡを置く。Ｂの端をＡの上に乗せて包むように折り返し、Ａの端がほつれないようにタオルケット、アクリル毛布表地、折り返したタオルケットと揃えて重ね、四隅３センチ位のところもほつれないように丁寧に縫製する。Ｂの長い部分の端は首周囲をほごするために縫製しない。暑い時はＧ図のように使用し、寒い時はＧ図を裏返したＨ図のように掛けると首周囲も保護されるし温度調節も容易にできる。Ａの風合いの心地良さや清潔を保つために洗濯に耐える生地としてＡとＢの組み合わせが最適である。
【実施例】
【０００９】  温かい時はＧ図のように使用し、寒い時はＧ図を裏返してタオルケットの一方の長い部分を伸ばしたＨ図のように掛けると首周囲も保護されるし温度調節も容易にできる掛寝具となる。
【産業上の利用可能性】
【００１０】  合わせ毛布の表地もタオルケットもすでにあるので、２枚を組み合わせて縫製すれば、すぐ快適な掛寝具ができあがり、商品として販売できる。
【符号の説明】
【００１１】Ａ    アクリル毛布表地
Ｂ    タオルケット
Ｃ    アクリル毛布表地側
Ｄ    タオルケット側
Ｅ    アクリル毛布表地側
Ｆ    タオルケット側
Ｇ    下側タオルケットと人
Ｈ    下側アクリル毛布表地と人
【図１】
0003181397.tif 000003
【図２】
0003181397.tif 000004
(57)【要約】      （修正有）【課題】手動の機械式鉛筆削り器において、別の機器を作動させることなくオルゴールの奏でる曲を聞く、という楽しみの要素を加えた鉛筆削り器を提供する。【解決手段】手動の機械式鉛筆削り器１のハンドル２の回転軸３に固定した平歯車４と、手回しオルゴール６のハンドルの回転軸７に固定した平歯車８を噛み合わせた装置を、鉛筆削り器ケースに固定すれば、鉛筆削りのハンドル２を回すことによりオルゴール６が鳴る。【選択図】図１
0003181399.tif 000002
【実用新案登録請求の範囲】
【請求項１】
手動の機械式鉛筆削り器のハンドルの回転軸に固定した平歯車と、手回しオルゴールのハンドルの回転軸に固定した平歯車を噛み合わせることにより、鉛筆削りのハンドルを回すとオルゴールが鳴る仕組みの、鉛筆削り器兼オルゴールプレーヤー。
【考案の詳細な説明】
【技術分野】
【０００１】  本考案は、オルゴールプレーヤーを兼ねた手動の機械式鉛筆削り器に関する。
【背景技術】
【０００２】  従来、普及している手動の機械式鉛筆削り器と、手回しオルゴールは別個の機器であり、両機能を備えた市販品はない。ただし、本考案と機構は異なるが同様の機能、すなわちオルゴールを内蔵した鉛筆削り器としては、特許文献１に開示されているものがある。
【特許文献１】  特開平６−３１２５９８号公報
【考案の概要】
【考案が解決しようとする課題】
【０００３】  手動の機械式鉛筆削り器で鉛筆を削る作業は、機械的かつ事務的な行為でしかない。その作業に、別の機器を作動させることなく、オルゴールの奏でる曲を聞く、という楽しみの要素を加えることを課題とする。
【課題を解決するための手段】
【０００４】  この課題を解決するための請求項１の考案は、手動の機械式鉛筆削り器１のハンドル２の回転軸３に固定した平歯車４と、手回しオルゴール６のハンドルの回転軸７に固定した平歯車８を噛み合わせることにより、鉛筆削りのハンドル２を回すとオルゴール６が鳴る仕組みの装置（図１）である。尚、平歯車４と平歯車８が回転軸方向にずれ、空回りするのを防ぐ為、平歯車４より直径の大きい円盤５を同歯車４に接した状態で、鉛筆削りの回転軸３に固定している。
【考案の効果】
【０００５】  本考案により、手動の機械式鉛筆削り器で鉛筆を削るという機械的かつ事務的な作業をしながら、別の機器を作動させることなく、オルゴールの奏でる曲を楽しむことができる。
【図面の簡単な説明】
【０００６】
【図１】  本考案に係る鉛筆削り器のハンドルを回すと、オルゴールが鳴る仕組みを示した図である。
【図２】  手動の機械式鉛筆削り器に、本考案の装置を取り付けた図である。
【考案を実施するための形態】
【０００７】  本考案に係る鉛筆削り器兼オルゴールプレーヤー（図２）は、ハンドル２の回転軸３に、平歯車４と円盤５を固定した手動の機械式鉛筆削り器１の部分と、ハンドルの回転軸７に平歯車８を固定した手回しオルゴール６の部分、そして、平歯車４と平歯車８が噛み合った状態で、両部分を固定するための鉛筆削り器ケース９からなる。
【符号の説明】
【０００８】１      手動の機械式鉛筆削り器
２      鉛筆削り器のハンドル
３      鉛筆削り器のハンドルの回転軸
４      平歯車
５      円盤
６      手回しオルゴール
７      オルゴールのハンドルの回転軸
８      平歯車
９      鉛筆削り器ケース
【図１】
0003181399.tif 000003
【図２】
0003181399.tif 000004
(57)【要約】      （修正有）【課題】フック等に掛けることができるサンダルを提供する。【解決手段】つま先部分の取り付け部分に穴をあける。【選択図】図１
0003181352.tif 000002
【実用新案登録請求の範囲】
【請求項１】
取り付け部分に穴を空けたサンダル金型を作成し、その金型で成型し壁に掛けることが出来るサンダル
【考案の詳細な説明】
【技術分野】
【０００１】
本発明は，壁に掛けることがサンダル          
【背景技術】
【０００２】
従来壁に掛けることが出来る一体成型サンダルがなく、塩化ビニ−ル樹脂及び合成樹脂原料を射出成型機で一体成型して穴付サンダルに仕上げる。
【先行技術文献】
【特許文献】
【０００３】
【特許文献１】特開２００３７５５５８
【考案の概要】
【考案が解決しようとする課題】
【０００４】
従来の成型サンダルは、サンダルとしての用途を果たしているが、さらに便利さと衛生面で貢献できるようにという面を課題とした。
【課題を解決するための手段】
【０００５】
課題を解決する為つま先部分にフック・釘等に掛ける事が出来るように穴付サンダル金型を作成し一体成型できるようにした。
【考案の効果】
【０００６】
従来のサンダルは風呂場及びトイレ等洗い場で置いている場合、水を使用した後サンダルが濡れ乾くのに時間がかかり、掃除機及び拭き掃除などする場合もサンダルを移動しなければならず手間がかかっていた。壁掛け可能サンダルはサンダルを定位置に置くことが出来サンダルを壁のフックが取り付けてある箇所や釘を取り付けてある箇所にサンダルの先端を掛けることが出来るので掃除するときに邪魔にならないという事と水洗いした後でも掛けることにより水気を切り、これまでより速く自然に乾かすことが出来るので貢献できる。サンダル先端部分が必要なくなる時にはその先端部分をはさみで切り取る事が出来る。
【産業上の利用可能性】
【０００７】
用途は広く風呂場、食堂、トイレなどに関わらずその他サンダルを掛けたい場所を選ぶことが出来サンダルの位置が確認できるので多方面にわたり貢献できると考える。
【図面の簡単な説明】
【０００８】
【図１】図１は壁掛けサンダルの実施方法を示した図である。
【図１】
0003181352.tif 000003
(57)【要約】      （修正有）【課題】可愛いとか面白いキャラクターを表現し、しかも液晶画面を綺麗に拭くことができるクリーナーを備え、その取扱いを容易にした携帯電話機用ストラップを提供する。【解決手段】可愛いとか面白いとかのキャラクターを表現した表面部材１と、この表面部材１と接続させたクリーナー素材からなる裏面部材とからなり、この表面部材１と裏面部材とで筒状を構成し、この筒状の上端を閉じ、筒状の下端を開放して携帯電話機用ストラップを形成する。【選択図】図１
0003181332.tif 000002
【実用新案登録請求の範囲】
【請求項１】
可愛いいとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあることを特徴とする携帯電話機用ストラップ。
【請求項２】
上記表面部材と裏面部材とを夫々２重構造にしてあり、上記表面部材と裏面部材の外側部材の境界部分に開放部を設け、この開放部をファスナーにより開閉自在とし、小物入れを設けてある上記請求項１に記載の携帯電話機用ストラップ。
【考案の詳細な説明】
【技術分野】
【０００１】
本考案は、スマートフォン等の携帯電話機用のストラップで、可愛いとか面白いとかのキャラクターを表現し、携帯電話機の液晶画面を綺麗に拭けるクリーナーを備えるストラップに関する。
【背景技術】
【０００２】
携帯電話機用のストラップには、一般的にクリップを付けたものが多い。また、種々の装飾品を付けたストラップも知られている。更に、携帯電話機の液晶画面の汚れを拭き取るクリーナーを付けたストラップも公知である（例えば特許文献１，２）。
【先行技術文献】
【特許文献】
【０００３】
【特許文献１】実用新案登録第３０８９５４９号公報
【特許文献２】実用新案登録第３０９８３８８号公報
【考案の概要】
【考案が解決しようとする課題】
【０００４】
上記公知のストラップは実用性に優れているが装飾性には優れていない。
本考案は、可愛いとか面白いキャラクターを表現し、しかも液晶画面を綺麗に拭くことができるクリーナーを備え、その取扱いを容易にした携帯電話機用ストラップを提供することを目的とする。
さらに、小銭等の小物入れを付属させたストラップを提供することを目的とする。
【課題を解決するための手段】
【０００５】
そのため、本考案の携帯電話機用ストラップは、可愛いとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあることを特徴とする。
また、上記表面部材と裏面部材とを夫々２重構造にしてあり、上記表面部材と裏面部材の外側部材の境界部分に開放部を設け、この開放部をファスナーにより開閉自在とし、小物入れを設けてある。
【考案の効果】
【０００６】
本考案の携帯電話機用ストラップは、可愛いとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあることを特徴とするから、高い装飾性と液晶画面をクリーニングする実用性を備え、しかも、表面部材と裏面部材とで構成した筒状部に手指を挿入して液晶画面のクリーニング作業ができるという取扱いを容易にできるという効果を有する。
【０００７】
さらに、本考案の携帯電話用ストラップは、上記表面部材と裏面部材とを夫々２重構造にしてあり、上記表面部材と裏面部材の外側部材の境界部分に開放部を設け、この開放部をファスナーにより開閉自在とし、小物入れを設けてあるから、小物入れに小銭他を収納して携帯できる効果を有する。
【図面の簡単な説明】
【０００８】
【図１】本考案の携帯電話機用ストラップの異なるキャラクターを表現したＡ，Ｂ２種類の拡大表面図である。
【図２】上記２種類のキャラクターのＡ，Ｂの拡大裏面図である。
【図３】小物入れを示す拡大斜面図である。
【図４】本考案の携帯電話機用ストラップの拡大断面図である。
【図５】本考案の携帯電話機用ストラップのクリーニング作業状況を示す斜面図である。
【考案を実施するための形態】
【０００９】
図１のＡ，Ｂに異なるキャラクターを表現した本考案の携帯電話機用ストラップの表面を示してある。このキャラクターは可愛いとか面白いとか、どのようなキャラクターでもよい。また、図２のＡ，Ｂに本考案の携帯電話機用ストラップの裏面を示してある。
本考案の携帯電話機用ストラップは、上記キャラクターを表現した表面部材１と、この表面部材１と接続させた裏面部材２とからなる。
【００１０】
表面部材１は、ふわふわとした布地により構成され、裏面部材２は、汚れを落とすことができるクリーナー素材から構成されている。
この表面部材１と裏面部材２とは、それぞれ内側布３を有し。表面部材１と内側布３および裏面部材２と内側布３とはそれぞれ一体的ではなく、分離することができるようにしてある
【００１１】
それそれ内側布３を有する表面部材１と裏面部材２とは縁で接続されており、両者で筒状を構成し、表面部材１と裏面部材２の上端を閉じてあり、表面部材１と裏面部材２の下端を開放してある。
この下端の開放してある開放部から手指をストラップ内に挿し込んで、図５に示すように携帯電話機の液晶画面を容易にクリーニング作業ができる。図面に示した実施例では手指１本をストラップ内に挿し込んでクリーニング作業をするものを示してあるが、ストラップ内に手指２本、３本の複数本を挿し込んでクリーニング作業をするようにストラップの大きさを決定してもよい。
【００１２】
また、本考案の携帯電話機用ストラップにはどこでもいいが、望ましくは表面部材１と裏面部材２の接続部分即ち縁部分に開放部４を設け、この開放部４にファスナー５を設けて開閉自在とし、ストラップ内の空間により小物入れを構成してある。
【符号の説明】
【００１３】
１  表面部材
２  裏面部材
３  内側布
４  開放部
５  ファスナー
【図１】
0003181332.tif 000003
【図２】
0003181332.tif 000004
【図３】
0003181332.tif 000005
【図４】
0003181332.tif 000006
【図５】
0003181332.tif 000007
(57)【要約】      （修正有）【課題】可愛いとか面白いキャラクターを表現し、しかも液晶画面を綺麗に拭くことができるクリーナーを備え、その取扱いを容易にすると共に液晶画面にタッチしてそうさするタッチペンを付属する携帯電話機用ストラップを提供する。【解決手段】可愛いとか面白いとかのキャラクターを表現した表面部材１と、この表面部材１と接続させたクリーナー素材からなる裏面部材とからなり、この表面部材１と裏面部材とで筒状を構成し、この筒状の上端を閉じ、筒状の下端を開放してあると共にタッチペン４を付属させる。【選択図】図１
0003181333.tif 000002
【実用新案登録請求の範囲】
【請求項１】
可愛いいとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあるとともにタッチペンを付属させてあることを特徴とする携帯電話機用ストラップ。
【請求項２】
上記タッチペンがストラップの表面に左右から張り出して設けた抱えベルトにより抱えられていることを特徴とする上記請求項１に記載の携帯電話機用ストラップ。
【考案の詳細な説明】
【技術分野】
【０００１】
本考案は、スマートフォン等の携帯電話機用のストラップで、可愛いとか面白いとかのキャラクターを表現し、携帯電話機の液晶画面を綺麗に拭けるクリーナーを備えると共にタッチペンを付属しているストラップに関する。
【背景技術】
【０００２】
携帯電話機用のストラップには、一般的にクリップを付けたものが多い。また、種々の装飾品を付けたストラップも知られている。更に、携帯電話機の液晶画面の汚れを拭き取るクリーナーを付けたストラップも公知である（例えば特許文献１，２）。
【先行技術文献】
【特許文献】
【０００３】
【特許文献１】実用新案登録第３０８９５４９号公報
【特許文献２】実用新案登録第３０９８３８８号公報
【考案の概要】
【考案が解決しようとする課題】
【０００４】
上記公知のストラップは実用性に優れているが装飾性には優れていない。
本考案は、可愛いとか面白いキャラクターを表現し、しかも液晶画面を綺麗に拭くことができるクリーナーを備え、その取扱いを容易にすると共に、液晶画面にタッチして操作するタッチペンを付属する携帯電話機用ストラップを提供することを目的とする。
【課題を解決するための手段】
【０００５】
そのため、本考案の携帯電話機用ストラップは、可愛いとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあると共にタッチペンを付属させてあることを特徴とする。
また、上記タッチペンがストラップの表面に左右から張り出して設けた抱えベルトにより抱えられていることを特徴とする。
【考案の効果】
【０００６】
本考案の携帯電話機用ストラップは、可愛いとか面白いとかのキャラクターを表現した表面部材と、この表面部材と接続させたクリーナー素材からなる裏面部材とからなり、この表面部材と裏面部材とで筒状を構成し、この筒状の上端を閉じ、筒状の下端を開放してあると共にタッチペンを付属させてあることを特徴とするから、高い装飾性と液晶画面をクリーニングする実用性を備え、しかも、表面部材と裏面部材とで構成した筒状部に手指を挿入して液晶画面のクリーニング作業ができるという取扱いを容易にできるという効果を有する。加えて付属するタッチペンを使用して液晶画面のタッチペン操作もできるという効果もある。
【図面の簡単な説明】
【０００７】
【図１】本考案のタッチペンを付属する携帯電話機用ストラップの拡大表面図である。
【図２】同じく拡大裏面図である。
【図３】本考案の携帯電話機用ストラップの拡大断面図である。
【図４】本考案の携帯電話機用ストラップのクリーニング作業状況を示す斜面図である。
【考案を実施するための形態】
【０００８】
図１にキャラクターを表現し、タッチペンを付属させてある本考案の携帯電話機用ストラップの表面を示してある。このキャラクターは可愛いとか面白いとか、どのようなキャラクターでもよい。また、図２に本考案の携帯電話機用ストラップの裏面を示してある。
本考案の携帯電話機用ストラップは、上記キャラクターを表現した表面部材１と、この表面部材１と接続させた裏面部材２とからなる。
【０００９】
表面部材１は、ふわふわとした布地により構成され、裏面部材２は、汚れを落とすことができるクリーナー素材から構成されている。
この表面部材１と裏面部材２とは、それぞれ内側布３を有し。表面部材１と内側布３および裏面部材２と内側布３とはそれぞれ一体的ではなく、分離することができるようにしてある
【００１０】
それそれ内側布３を有する表面部材１と裏面部材２とは縁で接続されており、両者で筒状を構成し、表面部材１と裏面部材２の上端を閉じてあり、表面部材１と裏面部材２の下端を開放してある。
この下端の開放してある開放部から手指をストラップ内に挿し込んで、図４に示すように携帯電話機の液晶画面を容易にクリーニング作業ができる。図面に示した実施例では手指１本をストラップ内に挿し込んでクリーニング作業をするものを示してあるが、ストラップ内に手指２本、３本の複数本を挿し込んでクリーニング作業をするようにストラップの大きさを決定してもよい。
【００１１】
また、本考案の携帯電話機用ストラップにはタッチペン４を付属させてあることを特徴とする。このタッチペン４は図１に示すようにストラップの表面に左右から抱えベルト５を張り出して設け、この左右の抱えベルト５は面ファスナー等により分離できるようにしてもよいし、固着して分離できないようにしてもよい。タッチペン４はこの抱えベルト５により抱えられており、使用する際はタッチペン４を抱えベルト５から抜き出して液晶画面をタッチ操作する。
【符号の説明】
【００１２】
１  表面部材
２  裏面部材
３  内側布
４  タッチペン
５  抱えベルト
【図１】
0003181333.tif 000003
【図２】
0003181333.tif 000004
【図３】
0003181333.tif 000005
【図４】
0003181333.tif 000006